(57)【要約】      （修正有）【課題】ドアの開放及び閉鎖時にアウトサイドハンドルの作動便宜性と組立性を向上させると共に、商品性を増大させるスライディングドア用アウトサイドハンドルを提供する。【解決手段】スライディングドア用アウトサイドハンドルに関するものであって、特にドアパネルに装着され、一端に第１ホール１１０が形成されるベース１００と、ベース１００に回動及び水平方向のスライディングが可能に装着され、一端に第１ホール１１０に挿入される第１フック２１０が形成されるグリップ２００と、グリップ２００の第１フック２１０と連結され、ベース１００の第１ホール１１０の内部に位置してグリップ２００の回動及びスライディングが可能にするレバー３００とで構成する。【選択図】図３
2014114687.tif 000002
【特許請求の範囲】
【請求項１】
ドアパネルに装着され、一端に第１ホールが形成されるベースと；
前記ベースに回動及び水平方向のスライディングが可能に装着され、一端に前記第１ホールに挿入される第１フックが形成されるグリップと；
前記グリップの第１フックと連結され、前記ベースの第１ホールの内部に位置して前記グリップの回動及びスライディングを可能にするレバーと；を含むことを特徴とする、スライディングドア用アウトサイドハンドル。
【請求項２】
前記ベースの他端には第２ホールが形成され、前記グリップの他端には前記第２ホールに挿入される第２フックが形成されることを特徴とする、請求項１に記載のスライディングドア用アウトサイドハンドル。
【請求項３】
前記レバーは、
前記ベースの第１ホールに回動及びスライディング可能に挿入されるシャフトと；
前記シャフトに垂直に突出され、前記グリップの第１フックが挿入される係合部と；を含むことを特徴とする、請求項１に記載のスライディングドア用アウトサイドハンドル。
【請求項４】
前記シャフトには、弾性体が備えられることを特徴とする、請求項３に記載のスライディングドア用アウトサイドハンドル。
【請求項５】
前記ベースには、前記レバーの回動及びスライディングが可能になるようにガイドが形成されることを特徴とする、請求項１に記載のスライディングドア用アウトサイドハンドル。
【請求項６】
前記レバーの一端には、ケーブル固定部が形成されることを特徴とする、請求項１に記載のスライディングドア用アウトサイドハンドル。
【請求項７】
前記第１ホールの内部には、グリップアームがさらに備えられ、前記グリップの第１フックと前記レバーを連動させることを特徴とする、請求項１に記載のスライディングドア用アウトサイドハンドル。
【発明の詳細な説明】
【技術分野】
【０００１】
本発明は、スライディングドア用アウトサイドハンドルに関するものであって、特にスライディングドアに装着されたアウトサイドハンドルの回動、及びスライディング運動を介してドアの開閉を可能にするためのスライディングドア用アウトサイドハンドルに関するものである。
【背景技術】
【０００２】
一般的に、乗用車の場合、ドアの開閉のためにドアパネルの外部にはアウトサイドハンドルのグリップが露出しており、ドアパネルの内部には、リモコン、キーなどのような手段によりロック又はロック解除されるドアラッチアセンブリが装着されている。
【０００３】
したがって、使用者が車両の外部でドアを正常的に開こうとするとき、リモコンなどの開きボタンを操作すれば、リモコンの信号を受けたドアラッチアセンブリのソレノイドがドアの開き方向に作動してドアラッチのロック解除がなされ、引き続き使用者がドアのアウトサイドハンドルを開き方向に引き寄せることにより、ドアが開放される。
【０００４】
しかし、従来のスライディングドア用アウトサイドハンドルは、図１に示されたように、ドアを開くようになる場合、力作用方向とドア開方向が同一なので問題にならないが、図２に示されたようにドアを閉鎖するようになる場合、ハンドルを引いた後、ドア閉方向に押して作動するようになるので、最初にハンドルに加えられる力作動方向とドア閉方向が相違するようになるため、操作に不便を感じて使用便宜性と商品性を低下させるようになる問題点があった。
【発明の概要】
【発明が解決しようとする課題】
【０００５】
本発明は、前記の問題点を解消するためのスライディングドア用アウトサイドハンドルに関するものであって、特にスライディングドアに装着されたアウトサイドハンドルの回動、及びスライディング運動を介してドアの開閉を可能にすることを目的とする。
【課題を解決するための手段】
【０００６】
このような本発明は、ドアパネルに装着され、一端に第１ホールが形成されるベースと；前記ベースに回動及び水平方向のスライディングが可能に装着され、一端に前記第１ホールに挿入される第１フックが形成されるグリップと；前記グリップの第１フックと連結され前記ベースの第１ホールの内部に位置し、前記グリップの回動及びスライディングを可能にするレバーと；を含むことにより達成される。
【０００７】
前記ベースの他端には第２ホールが形成され、前記グリップの他端には前記第２ホールに挿入される第２フックが形成されるようにするのが好ましい。
【０００８】
前記レバーは、前記ベースの第１ホールに回動及びスライディング可能に挿入されるシャフトと；前記シャフトに垂直に突出され、前記グリップの第１フックが挿入される係合部と；を含むようにするのが好ましい。
【０００９】
前記シャフトには、弾性体が備えられるようにするのが好ましい。
【００１０】
前記ベースには、前記レバーの回動及びスライディングが可能になるようにガイドが形成されるようにするのが好ましい。
【００１１】
前記レバーの一端には、ケーブル固定部が形成されるようにするのが好ましい。
【００１２】
前記第１ホールの内部には、グリップアームがさらに備えられ、前記グリップの第１フックと前記レバーを連動させるようにするのが好ましい。
【発明の効果】
【００１３】
以上のような本発明は、ドアの開放及び閉鎖時のアウトサイドハンドルの作動便宜性と組立性を向上させるとともに、商品性を増大させるのに効果のある発明である。
【図面の簡単な説明】
【００１４】
【図１】従来のスライディングドア用アウトサイドハンドルのドア開放時の作動状態を示す図である。
【図２】従来のスライディングドア用アウトサイドハンドルのドア閉鎖時の作動状態を示す図である。
【図３】本発明のスライディングドア用アウトサイドハンドルを示す分解斜視図である。
【図４】本発明のスライディングドア用アウトサイドハンドルにおいて、レバーを示す図である。
【図５】本発明のスライディングドア用アウトサイドハンドルのドア開放時の作動状態を示す図である。
【図６】本発明のスライディングドア用アウトサイドハンドルのドア閉鎖時の作動状態を示す図である。
【図７】本発明のスライディングドア用アウトサイドハンドルにおいて、ベースの内部でレバーとグリップアームの結合及び作動状態を示す図である。
【図８】本発明のスライディングドア用アウトサイドハンドルにおいて、ベースに形成されたガイドと、ガイドによりポップアップされるグリップを示す図である。
【図９】本発明のスライディングドア用アウトサイドハンドルのドア開放時のグリップを引き寄せる作動状態を示す図である。
【図１０】本発明のスライディングドア用アウトサイドハンドルのドア閉鎖時のグリップのスライディング作動状態を示す図である。
【図１１】本発明のスライディングドア用アウトサイドハンドルにおいて、グリップのスライディング作動状態を示す図である。
【図１２】本発明のスライディングドア用アウトサイドハンドルにおいて、グリップ回動時の作動状態を示す図である。
【発明を実施するための形態】
【００１５】
本発明の実施例を、添付の図面を参照して詳しく説明すれば次の通りである。
【００１６】
本発明のスライディングドア用アウトサイドハンドルは、図３〜図１２に示されたように、ドアパネルに装着されるベース１００と、ベース１００に回動（傾動）及びスライディング可能に装着されるグリップ２００と、グリップ２００の回動及びスライディングを可能にするレバー３００とを含む。
【００１７】
図３に示されたように、ベース１００の外側面は後述するグリップ２００が装着され、内側面はドアパネルに固定装着される。
【００１８】
ベース１００の一端には第１ホール１１０が貫通形成され、他端には第２ホール１２０が貫通形成される。
【００１９】
グリップ２００はドアに装着されるハンドルであって、ベース１００に回動及び水平方向のスライディングが可能に装着される。
【００２０】
グリップ２００の一端には、ベース１００の第１ホール１１０に挿入される第１フック２１０が形成され、他端にはベース１００の第２ホール１２０に挿入される第２フック２２０が形成される。
【００２１】
ここで、第１フック２１０は所定長さだけ形成されるようにし、後述するレバー３００が挟まれ得るようにする。
【００２２】
さらに、ベース１００の第１ホール１１０の内部にはグリップアーム２３０がさらに備えられ、グリップ２００の第１フック２１０とレバー３００を連動させてグリップ２００の作動力を向上させるようにするのが好ましい。
【００２３】
図３及び図４に示されたように、レバー３００はグリップ２００の第１フック２１０と連結（係合）された状態で、ベース１００の第１ホール１１０の内部に位置してグリップ２００の回動及びスライディングを可能にする。
【００２４】
レバー３００は、ベース１００の第１ホール１１０に回動及びスライディング可能に挿入されるシャフト３１０と、シャフト３１０に垂直に突出され、グリップ２００の第１フック２１０が挿入される係合部３２０からなる。
【００２５】
このとき、シャフト３１０には弾性体３１１が装着され、レバー３００と連動されたグリップ２００の回動及びスライディング移動後には元の場所に復元されるようにして使用便宜性を向上させるようにするのが好ましい。
【００２６】
一方、図８に示されたように、ベース１００にはレバー３００の回動及びスライディングが可能になるようにガイド１３０が形成されるようにし、グリップ２００をスライディングするようになれば、グリップアーム２３０がベース１００のガイド１３０に沿って一定角度を有してスライディングするようになる。
【００２７】
その結果、本発明のスライディングドア用アウトサイドハンドルをスライディングさせるようになるとき、ガイド１３０によりグリップ２００がベース１００から所定長さポップアップされながらスライディングされることにより、グリップ２００がスライディングされる間にベース１００との干渉発生を最小化できるようにすることにより、騷音発生を防止し、作動力は向上させるようにする。
【００２８】
さらに、図４に示されたように、レバー３００の一端にはケーブル固定部３３０が形成されるようにし、グリップ２００を引き寄せる作動を実施するようになれば、レバー３００がシャフト３１０により回転してレバー３００と連結されるケーブルを引っぱることができるようにし、グリップ２００をスライディングさせる作動を実施するようになれば、レバー３００がグリップ２００のようにスライディングしてケーブルを引っぱってグリップ２００の動きをラッチ(図示していない)に伝達することにより、ドアのロッキングを解除することができるようにする。
【００２９】
すなわち、図７に示されたように、グリップアーム２３０とレバー３００が固定された状態でグリップ２００をスライディングするようになれば、グリップアーム２３０がレバー３００とともに移動するようになり、これに従いレバー３００と連結されたケーブルが引き寄せられるようになれば、ラッチ(図示していない)に同一のストロークを伝達することになり、ラッチに一定量以上のストロークが伝達されれば、ドアロックが解除されながらドア開放が可能となる。
【００３０】
一方、グリップ２００はベース１００からの分離を可能にし、故障発生時に脱去後の整備をできるようにすることにより、使用便宜性を向上させるようにする。
【００３１】
以下、本発明の作用及び効果を説明すれば次の通りである。
【００３２】
図５及び図９に示されたように、開放方向が右側の場合は、第１フック２１０が形成されたグリップ２００の一側を回動させ、第２フック２２０の方向にスライディングさせてスライディングドアを開放させるようになる。
【００３３】
一方、図６及び図１０に示されたように、閉鎖方向が左側の場合は、グリップ２００の回動なく、グリップ２００をスライディングドアが閉じるようになる左側方向にスライディングさせ、スライディングドアを閉鎖させるようになる。
【００３４】
すなわち、本発明は図１１に示されたように、グリップ２００がスライディングするようになる場合には係止突起及び折れ部なくスライディングし、作動時にひっかかり感及び挟まることがないのでスライディング作動を容易にし、図１２に示されたようにグリップ２００の引き作動はドアを開放する場合のみに回動可能にする。
【００３５】
以上のように、本発明は、例えば限定された実施例と図面により説明しましたが、本発明はこれにより限定されず、本発明の属する技術分野で通常の知識を有する者により本発明の技術思想と下記に記載される特許請求の範囲内で多様な修正及び変形が可能であることは勿論である。
【符号の説明】
【００３６】
１００  ベース            １１０  第１ホール
１２０  第２ホール        ２００  グリップ
２１０  第１フック        ２２０  第２フック
２３０  グリップアーム    ３００  レバー
３１０  シャフト          ３２０  係合部
３３０  固定部
【図１】
2014114687.tif 000003
【図２】
2014114687.tif 000004
【図３】
2014114687.tif 000005
【図４】
2014114687.tif 000006
【図５】
2014114687.tif 000007
【図６】
2014114687.tif 000008
【図７】
2014114687.tif 000009
【図８】
2014114687.tif 000010
【図９】
2014114687.tif 000011
【図１０】
2014114687.tif 000012
【図１１】
2014114687.tif 000013
【図１２】
2014114687.tif 000014